(57)【要約】【課題】本発明は人工毛髪用繊維及び人毛を包含する毛髪用繊維の取り付け時間を短縮することができ、一人で行う事もできる取り付けられる方法を提供することを目的とするものである。【解決手段】  本発明にかかる毛髪用繊維の取り付け方法は、地肌より複数本の自毛を取り分けて束ねた自毛の束に複数本の毛髪用繊維を束ねた毛髪用繊維の束を前記自毛の束に絡ませ折り返す。絡ませ折り返したた部分の直ぐ下の前記毛髪用繊維の束同士を前記自毛の束で絡ぶ工程と、前記自毛の束の先端側を引っ張りつつ、前記毛髪用繊維の束の結び目を地肌側に移動させて、結び目の直ぐ下をを弾性糸で結び付けて固定する固定工程を含む毛髪用繊維の取り付け方法。または、前記取り付け方法において前記毛髪用繊維の束に弾性糸を重ねて行う毛髪用繊維の取り付け方法。【選択図】  図１
2005082954.tif 000002
【特許請求の範囲】
【請求項１】
地肌より複数本の自毛を取り分けて束ねた自毛の束に複数本の毛髪用繊維を束ねた毛髪用繊維の束を前記自毛の束に絡ませ折り返す。絡ませ折り返したた部分の直ぐ下の前記毛髪用繊維の束同士を前記自毛の束で絡ぶ工程と、前記自毛の束の先端側を引っ張りつつ、前記毛髪用繊維の束の結び目を地肌側に移動させて、結び目の直ぐ下をを弾性糸で結び付けて固定する固定工程を含む毛髪用繊維の取り付け方法。
【請求項２】
地肌より複数本の自毛を取り分けて束ねた自毛の束に複数本の毛髪用繊維を束ねた毛髪用繊維の束と弾性糸を重ねて前記自毛の束に絡ませ折り返す。絡ませ折り返したた部分の直ぐ下の前記毛髪用繊維の束と弾性糸同士を前記自毛の束で絡ぶ工程と、前記自毛の束の先端側を引っ張りつつ、前記毛髪用繊維の束と弾性糸の結び目を地肌側に移動させて、結び目の直ぐ下をを前記弾性糸で結び付けて固定する固定工程を含む毛髪用繊維の取り付け方法。
【請求項３】
前記毛髪用繊維の束は、複数本の人毛を束ねた人毛の束、もしくは複数本の人工毛髪用繊維を束ねた人工毛髪用繊維の束、又はそれらの混合の束である請求項１に記載の取り付け方法。
【発明の詳細な説明】
【発明の詳細な説明】
【技術分野】
【０００１】  本発明は、人工毛髪用繊維及び人毛を包含する毛髪用繊維の取り付け方であり、人工毛髪用繊維としては、例えばポリエチレンからなるヘアーエクステンションと称される合成繊維などがある。
【背景技術】
【０００２】  髪の毛の長さを見た目上のばす方法として、自毛にヘアーエクステンションを取り付ける方法がある。ヘアーエクステンションの色として黒や金色など様様あり、色の異なるヘアーエクステンションを何種類か混ぜ合わせて束ねることにより、自毛に近い色のヘアーエクステンション束にして自毛に取り付ける。【０００３】  従来のヘアーエクステンション（以下、ＥＸと称す）の取り付け方法について説明する。、まず、地肌から複数本の自毛を取り出して、さらにそれらの自毛を、２つに取り分けてその間の地肌の上に、複数本束ねたＥＸの束を入れこむ。ＥＸ上で２つの自毛を交差させ、さらにその上でＥＸのたばを交差させる。２つの自毛の束とＥＸの束を交互に交差させる。、２つの自毛束とＥＸの束の交差の工程を数回繰り返して２つの自毛束とＥＸの束を編み合わせ停止し、その編み合わせ部分を糸ゴムで複数回巻き付けてしばる。【０００４】  この取り付け方法だと２つの自毛の束とＥＸの束の両端側、合計４束編み合わせるので、一人で取り付けることは、困難であった。また、編み合わせ工程も多く、時間がかかるという問題もあった。この改善方法として自肌から複数本の自毛を取り分けて束ねた自毛束と、複数本の人工毛髪用繊維を束ねた人工毛髪用繊維束とを交差させ自毛束と人工毛髪用繊維束との交差部の左右の位置で自毛を人工毛髪用繊維束に少なくとも１回転ずつ巻き付ける巻き付け工程と、自毛束の先端側及び人工毛髪用繊維束の両端側を交差部付近で編み合せる編み合せ工程と、人工毛髪用繊維束の一部を取り分けて編み合せ部分に巻き付けた後、熱融着させるか編み合せ部分を弾性糸を結び付けて固定させる。【０００５】ＥＸに替えて人毛を用いて、髪の毛の長さを見た目上のばす方法もある。人毛を束ねた束を自毛に取り付ける場合、上記のＥＸの取り付け方と同様である。
【特許文献１】特開２００２−２０９２２
【発明が解決しようとする課題】
【０００６】  ＥＸを用いた従来技術では、２つの自毛の束とＥＸの束の両端側、合計４束編み合わせるので、一人で取り付けることは、困難であった。また、編み合わせ工程も多く、時間がかかるという問題もあった。また特開２００２−２０９２２の取り付け方法においても、まだ取り付け工程が多く、さらに編み合わせ部分においての熱融着による固定方法においては、熱により髪が傷む可能性がある。弾性糸で編み合わせ部分を結び付ける固定方法については、弾性糸を結び付けるだけでは弾性糸と編み合わせ部分が離れてしまう場合がありそのことにより人工毛髪用繊維束が自毛束からはずれてしまう場合がある。そこで本発明は、取り付け工程をより少なくし取り付け時間を短縮することができ、一人で行う事もでき、さらに取り付け部分から結んだ弾性糸が離れなく人工毛髪用繊維束が自毛束からはずれにくい毛髪用繊維の取り付け方法を提供することを目的とするものである。
【課題を解決するための手段】
【０００７】  本発明にかかる毛髪用繊維の取り付け方法は、地肌より複数本の自毛を取り分けて束ねた自毛の束に複数本の毛髪用繊維を束ねた毛髪用繊維の束を前記自毛の束に絡ませ折り返す。絡ませ折り返したた部分の直ぐ下の前記毛髪用繊維の束同士を前記自毛の束で絡ぶ工程と、前記自毛の束の先端側を引っ張りつつ、前記毛髪用繊維の束の結び目を地肌側に移動させて、結び目の直ぐ下をを弾性糸で結び付けて固定する固定工程を含む毛髪用繊維の取り付け方法。
【０００８】  地肌より複数本の自毛を取り分けて束ねた自毛の束に複数本の毛髪用繊維を束ねた毛髪用繊維の束と弾性糸を重ねて前記自毛の束に絡ませ折り返す。絡ませ折り返したた部分の直ぐ下の前記毛髪用繊維の束と弾性糸同士を前記自毛の束で絡ぶ工程と、前記自毛の束の先端側を引っ張りつつ、前記毛髪用繊維の束と弾性糸の結び目を地肌側に移動させて、結び目の直ぐ下をを前記弾性糸で結び付けて固定する固定工程を含む毛髪用繊維の取り付け方法。
【発明の効果】
【０００９】  本発明では、地肌より複数本の自毛を取り分けて束ねた自毛の束に複数本の毛髪用繊維を束ねた毛髪用繊維の束を前記自毛の束に絡ませ折り返す。絡ませ折り返したた部分の直ぐ下の前記毛髪用繊維の束同士を前記自毛の束で絡ぶ工程と、前記自毛の束の先端側を引っ張りっつ、前記毛髪用繊維の束の結び目を地肌側に移動させて、結び目の直ぐ下をを弾性糸で結び付けて固定する固定工程を含む毛髪用繊維の取り付け方法。または、地肌より複数本の自毛を取り分けて束ねた自毛の束に複数本の毛髪用繊維を束ねた毛髪用繊維の束と弾性糸を重ねて前記自毛の束に絡ませ折り返す。絡ませ折り返したた部分の直ぐ下の前記毛髪用繊維の束と弾性糸同士を前記自毛の束で絡ぶ工程と、前記自毛の束の先端側を引っ張りつつ、前記毛髪用繊維の束と弾性糸の結び目を地肌側に移動させて、結び目の直ぐ下をを前記弾性糸で結び付けて固定する固定工程を含むようにした。工程数が減るので取り付け時間が短縮する事ができ、さらに一人でもヘアーエクステンションを取り付けることが出来る。また弾性糸が自毛束、ＥＸ束の結び目を締め付け、かつ自毛束、ＥＸ束の結び目から離れない構造になっているので、より外れにくい効果もある。ＥＸ束を外す際には、弾性糸を切ることにより容易に外すことができる。
【００１０】  取り付け工程の後、自毛の束の先端側を引っ張りつつ、前記毛髪用繊維の束と弾性糸を地肌側に移動させて前記結び目部分を地肌側に移動させる。移動工程において、結び目部分を地肌付近まで移動させるようにすれば、地肌付近で人工毛髪用繊維又は毛髪用繊維束を自毛に取り付けることができる。
【発明を実施するための最良のの形態】
【００１１】  本発明において、毛髪用繊維束の一例は、複数本の人毛を束ねた人毛の束、もしくは複数本の人工毛髪用繊維を束ねた人工毛髪用繊維の束、又はそれらの混合の束である。
【００１２】  本発明において、自毛の束とＥＸの取り付け工程の後、自毛の束の先端側を引っ張りつつ、前記毛髪用繊維の束と弾性糸を地肌側に移動させて前記結び目部分を地肌側に移動させる。移動工程において、結び目部分を地肌付近まで移動させることが好ましい。
【実施例】
【００１３】  図１、図２、は一実施例を示す工程図である。図１、図２、を用いて本発明の実施例を説明する。ただし、本発明はこの実施例に限定されるものでなく、特許請求の範囲に記載された要旨の範囲内で色々な変更が可能である。【００１４】  図１（Ａ）６０本から１２０本の自毛を地肌１から取り分けた自毛の束２、を作る。【００１５】  図Ｉ（Ｂ）前記自毛の束２に、６０本から１２０本のＥＸを束ねたＥＸ束３を前記自毛の束２にを絡ませる。ここで、自毛の束２、ＥＸ束３の位置関係は手前側にいる作業者から見た位置として表す。また自毛の束２の先端を２ａ、とする。ＥＸ束の両端側を３ａ、３ｂとする。【００１６】  図Ｉ（Ｃ）自毛の束２の先端２ａを自毛の束２に絡ませたＥＸ束３ａ、３ｂに１回巻き付ける。【００１７】  図Ｉ（Ｄ）自毛の束２の先端２ａを自毛の束２に絡ませたＥＸ束３ａ、３ｂに１回巻き付け、自毛の束２の先端２ａをＥＸ束３ａ、３ｂに１回巻き付けてできた空間４に自毛の束２の先端２ａを入れる。【００１８】  図Ｉ（Ｅ）は、自毛の束２の先端２ａを自毛の束２に絡ませたＥＸ束３ａ、３ｂに１回巻き付け、自毛の束２の先端２ａを自毛の束２に絡ませたＥＸ束３ａ、３ｂに１回巻き付けてできた空間４に自毛の束２の先端２ａを入れて、ＥＸ束３ａ、３ｂを一つに束ねてＥＸ束３ｃとする。ＥＸ束３ｃと自毛の束２の先端２ａをＥＸ束３ａ、３ｂに１回巻き付け、自毛の束２の先端２ａをＥＸ束３ａ、３ｂに１回巻き付けてできた空間４に入れた自毛束２の先端２ａを引っ張り結び目を作った図である。【００１９】  図Ｉ（Ｆ）は、自毛の束２の先端２ａを自毛の束２に絡ませたＥＸ束３ａ、３ｂに１回巻き付け、自毛の束２の先端２ａを自毛の束２に絡ませたＥＸ束３ａ、３ｂに１回巻き付けてできた空間４に自毛の束２の先端２ａを入れて、ＥＸ束３ａ、３ｂを一つに束ねてＥＸ束３ｃとする。ＥＸ束３ｃと自毛の束２の先端２ａを自毛の束２に絡ませたＥＸ束３ａ、３ｂに１回巻き付け、自毛の束２の先端２ａをＥＸ束３ａ、３ｂに１回巻き付けてできた空間４に入れた自毛の束２の先端２ａを引っ張り結び目５を作り地肌１近くに移動して、ＥＸ束３ｃと自毛束２の先端２ａを下に降ろした図である。【００２０】  図Ｉ（Ｇ）は、自毛の束２の先端２ａを自毛の束２に絡ませたＥＸ束３ａ、３ｂに１回巻き付け、自毛の束２の先端２ａを自毛の束２に絡ませたＥＸ束３ａ、３ｂに１回巻き付けてできた空間４に自毛の束２の先端２ａを入れて、ＥＸ束３ａ、３ｂを一つに束ねてＥＸ束３ｃとする。ＥＸ束３ｃと自毛の束２の先端２ａを自毛の束２に絡ませたＥＸ束３ａ、３ｂに１回巻き付け、自毛の束２の先端２ａを自毛の束２に絡ませたＥＸ束３ａ、３ｂに１回巻き付けてできた空間４に入れた自毛の束２の先端２ａを引っ張り結び目５を作り地肌１近くに移動して、ＥＸ束３ｃと自毛の束２の先端２ａを下に降ろし、前記結び目５の直ぐ下を弾性糸６で複数回巻き付け結び固定する。その後余分な弾性糸の両端部を切断した図である。【００２１】  図Ｉ（Ｈ）は、自毛の束２の先端２ａを自毛の束２に絡ませたＥＸ束３ａ、３ｂに１回巻き付け、自毛の束２の先端２ａを自毛の束２に絡ませたＥＸ束３ａ、３ｂに１回巻き付けてできた空間４に自毛の束２の先端２ａを入れて、ＥＸ束３ａ、３ｂを一つに束ねてＥＸ束３ｃとする。ＥＸ束３ｃと自毛の束２の先端２ａを自毛の束２に絡ませたＥＸ束３ａ、３ｂに１回巻き付け、自毛の束２の先端２ａを自毛の束２に絡ませたＥＸ束３ａ、３ｂに１回巻き付けてできた空間４に入れた自毛の束２の先端２ａを引っ張り結び目５を作った時の自毛の束２とＥＸ束３の絡まり方の図である。【００２２】  図２（Ａ）６０本から１２０本の自毛を地肌１から取り分けた自毛の束２、を作る。【００２３】  図２（Ｂ）は、前記図Ｉ（Ｂ）の工程に弾性糸６をＥＸ束３に重ねる。弾性糸を６とする。【００２４】  図２（Ｃ）は、前記図１（Ｃ）の工程をＥＸ束３に弾性糸６を重ねて行った図である。【００２５】  図２（Ｄ）は、前記図１（Ｄ）の工程をＥＸ束３に弾性糸６を重ねて行った図である。【００２６】  図２（Ｅ）は、前記図１（Ｅ）の工程をＥＸ束３に弾性糸６を重ねて行った図である。【００２７】  図２（Ｆ）は、前記図１（Ｆ）の工程をＥＸ束３に弾性糸６を重ねて行い弾性糸の片方を取り分けた図である。【００２８】  図２（Ｆ）は、前記図１（Ｆ）の工程をＥＸ束３に弾性糸６を重ねて行い弾性糸の片方を取り分けた弾性糸で前記結び目５の直ぐ下を複数回巻き付け結び固定する。その後余分な弾性糸の両端部を切断した図である。
このように、本発明によれば工程数が減るので取り付け時間が短縮する事ができ、さらに一人でもヘアーエクステンションを取り付けることが出来る。また弾性糸６が自毛の束２、ＥＸ束３の結び目を締め付け、かつ自毛の束２、ＥＸ束３の結び目から離れない構造になっているので、より外れにくい効果もある。ＥＸ束３を外す際には、弾性糸を切ることにより容易に外すことができる。
この実施例で使用されている人工毛髪用繊維はヘアーエクステンションと呼ばれるポリエチレン系の合成繊維を用いているが、本発明はこれに限定されるものではなく、例えば人毛束でもよいし、人毛束と人工毛髪用繊維を混合した混合束を用いてもよい。【００２９】  このように、本発明によれば工程数が減るので取り付け時間が短縮する事ができ、さらに一人でもヘアーエクステンションを取り付けることが出来る。また弾性糸６が自毛の束２、ＥＸ束３の結び目を締め付け、かつ自毛の束２、ＥＸ束３の結び目から離れない構造になっているので、より外れにくい効果もある。ＥＸ束を外す際には、弾性糸を切ることにより容易に外すことができる。【００３０】  この実施例で使用されている人工毛髪用繊維はヘアーエクステンションと呼ばれるポリエチレン系の合成繊維を用いているが、本発明はこれに限定されるものではなく、例えば人毛束でもよいし、人毛束と人工毛髪用繊維を混合した混合束を用いてもよい。【００３１】  以上、実施例を説明したが、自毛の束２、ＥＸ束３の本数は６０本から１２０本に限定されるものではなく、用途にに応じて６０本より少なくてもよいし、１２０本より多くてもよい。
【図面の簡単な説明】
【図Ｉ】
本発明の実施例を示す工程図である。
【図２】
図Ｉの工程に初めから弾性糸をエクステンション束に重ねて行う図である。
【符号の説明】
１    地肌
２    自毛の束
２ａ  自毛の束の先端側
３    ヘアーエクステンション（ＥＸ）束
３ａ  ＥＸの束の一端側
３ｂ  ＥＸの束の他端側
４    自毛の束２の先端２ａを自毛の束２に絡ませたＥＸ束３ａ、３ｂに１回巻き付けてできた空間。
５    自毛の束２の先端２ａをＥＸ束３ａ、３ｂに１回巻き付けてできた空間４に入れた自毛の束２の先端２ａを引っ張り結び目。
６    弾性糸
【図１】
2005082954.tif 000003
【図２】
2005082954.tif 000004